(57)【要約】【課題】遊技媒体の貸出レート及び貸出単位数にどんな値を設定されたとしても遊技店の損害を回避するとともに遊技客の利便性を確保することを課題とする。【解決手段】遊技客から受け付けたプリペイド価値から所定価値をデポジットとして扱い、プリペイド価値からデポジット分を差し引いた価値である預入金を減算することによって遊技媒体の貸出を行うようにした。また、預入金が遊技媒体の貸出単位に対応する価値未満の場合にはプリペイド価値の追加、若しくはデポジットを含むプリペイド価値をゼロにしてデポジットを含むプリペイド価値に応じた数の遊技媒体の貸出を可能とした。【選択図】図１
2015186561.tif 000002
【特許請求の範囲】
【請求項１】
受け付けた貨幣の価値であるプリペイド価値を用いて遊技媒体の貸出を行う遊技システムであって、
前記プリペイド価値の残高に基づいて前記貨幣の入金の可否の判定を行う入金可否判定手段と、
前記入金可否判定手段によって入金可能と判定された場合には受け付けた貨幣を入金する入金手段と、
前記入金手段によって入金された貨幣に応じた価値を前記プリペイド価値に加算するプリペイド価値加算手段と、
前記プリペイド価値のうち所定金額相当分を、前記遊技媒体の貸出への使用を制限する貸出利用制限分とし、前記プリペイド価値から前記貸出利用制限分を除外した貸出利用可能分の残高に応じて前記遊技媒体の貸出数及び貸し出す遊技媒体の貸出価値を決定する貸出遊技媒体決定手段と、
前記貸出遊技媒体決定手段によって決定した数の遊技媒体の貸出を行う遊技媒体貸出手段と、
前記貸出遊技媒体決定手段によって決定した遊技媒体の貸出価値を前記プリペイド価値から減算するプリペイド価値減算手段と
を備えたことを特徴とする遊技システム。
【請求項２】
前記プリペイド価値の返却の要求を受け付けたならば、前記貸出利用可能分と前記貸出利用制限分の合計価値を返却するプリペイド価値返却手段を更に備えたことを特徴とする請求項１に記載の遊技システム。
【請求項３】
前記貸出利用可能分の残高がゼロでない場合に前記貨幣の入金の可否を設定する追加入金可否設定手段をさらに備え、
前記入金可否判定手段は、前記追加入金可否設定手段によって前記プリペイド価値の残高がゼロでない場合に前記貨幣の入金が不可と設定されていた場合でも、前記プリペイド価値の前記貸出利用可能分が前記遊技媒体の貸出単位に対応する価値未満の場合には前記貨幣の入金を可能と判定する
ことを特徴とする請求項１又は２に記載の遊技システム。
【請求項４】
前記プリペイド価値の上限値を設定する上限値設定手段をさらに備え、
前記入金可否判定手段は、前記プリペイド価値の前記貸出利用可能分が前記遊技媒体の貸出単位に対応する価値未満の場合には前記上限値設定手段によって設定された上限値以下の貨幣の入金を可能と判定する
ことを特徴とする請求項１、２又は３に記載の遊技システム。
【請求項５】
前記プリペイド価値の表示を行うプリペイド価値表示手段をさらに備え、
前記プリペイド価値表示手段は、前記貸出利用制限分が分かるように表示する
ことを特徴とする請求項１〜４のいずれか一つに記載の遊技システム。
【請求項６】
前記貸出遊技媒体決定手段は、前記プリペイド価値の前記貸出利用可能分が前記遊技媒体の貸出単位に対応する価値未満の場合で、前記プリペイド価値が前記遊技媒体の貸出単価の整数倍の場合には、前記プリペイド価値に相当する遊技媒体数の貸出を行うことを特徴とする請求項１〜５のいずれか一つに記載の遊技システム。
【請求項７】
前記貸出遊技媒体決定手段は、前記プリペイド価値の前記貸出利用可能分が前記遊技媒体の貸出単位に対応する価値未満の場合で、前記プリペイド価値が前記遊技媒体の貸出単価の整数倍でない場合には、前記遊技媒体の貸出数は前記プリペイド価値を前記遊技媒体
の貸出単価で除算して得られた値の小数点以下を切り捨てた値とし、貸し出す前記遊技媒体の貸出価値は前記プリペイド価値の値とすることを特徴とする請求項１〜６のいずれか一つに記載の遊技システム。
【請求項８】
前記遊技媒体の貸出の要求を受け付けた場合に、前記プリペイド価値の前記貸出利用可能分が前記遊技媒体の貸出単位に対応する価値未満の場合で、前記プリペイド価値が前記遊技媒体の貸出単価の整数倍でない場合には、前記貸出遊技媒体決定手段によって決定した前記遊技媒体の貸出数と、前記プリペイド価値のうち当該貸出数に対応しない端数金額と、当該貸出の実行によって当該端数金額を無効化することを報知して、当該貸出の実行の可否の入力を受け付ける実行可否受付手段をさらに備えたことを特徴とする請求項７に記載の遊技システム。
【請求項９】
前記追加入金可否設定手段によって前記貸出利用可能分の残高がゼロでない場合に前記貨幣の入金が不可と設定されていた場合で、前記プリペイド価値の前記貸出利用可能分が前記遊技媒体の貸出単位に対応する価値未満となった場合に、前記貨幣の入金が可能であることを報知する貨幣入金可能報知手段をさらに備えたことを特徴とする請求項３〜８のいずれか一つに記載の遊技システム。
【請求項１０】
前記プリペイド価値を退避価値として所定の識別情報に関連付けて記憶し、該プリペイド価値をゼロとするプリペイド価値退避手段と、
前記識別情報を受け付けて、該識別情報に関連付けて記憶された退避価値を前記プリペイド価値に加算するというプリペイド価値退避解除を行うプリペイド価値退避解除手段と
をさらに備えたことを特徴とする請求項１又は２に記載の遊技システム。
【請求項１１】
前記プリペイド価値退避手段は、前記識別情報を有する記憶媒体を発行し、
前記プリペイド価値退避解除手段は、前記プリペイド価値退避手段によって発行された記憶媒体から、前記識別情報を読み取ることによって該識別情報を受け付ける
ことを特徴とする請求項１０に記載の遊技システム。
【請求項１２】
前記記憶媒体は、
遊技により獲得された遊技媒体の数を関連付ける記憶媒体であり、
当該記憶媒体を一意に識別する識別情報を、前記退避価値を関連付ける識別情報として用いる
ことを特徴とする請求項１１に記載の遊技システム。
【請求項１３】
前記プリペイド価値退避手段は、前記プリペイド価値が所定の価値以上若しくは所定の価値を超える場合に前記記憶媒体の発行を行うことを特徴とする請求項１１又は１２に記載の遊技システム。
【請求項１４】
前記プリペイド価値退避手段は、遊技客を認証するための認証情報を前記退避番号に関連付けて記憶し、
前記プリペイド価値退避解除手段は、認証情報を受け付けて、受け付けた認証情報が前記プリペイド価値退避手段で記憶する認証情報と一致することを条件として前記プリペイド価値退避解除を行う
ことを特徴とする請求項１０〜１３のいずれか一つに記載の遊技システム。
【請求項１５】
受け付けた貨幣の価値であるプリペイド価値を用いて遊技媒体の貸出を行う遊技媒体貸出方法であって、
前記プリペイド価値の残高に基づいて前記貨幣の入金の可否の判定を行う入金可否判定ステップと、
前記入金可否判定ステップによって入金可能と判定された場合には受け付けた貨幣を入金する入金ステップと、
前記入金ステップによって入金された貨幣に応じた価値を前記プリペイド価値に加算するプリペイド価値加算ステップと、
前記プリペイド価値のうち所定金額相当分を、前記遊技媒体の貸出への使用を制限する貸出利用制限分とし、前記プリペイド価値から前記貸出利用制限分を除外した貸出利用可能分の残高に応じて前記遊技媒体の貸出数及び貸し出す遊技媒体の貸出価値を決定する貸出遊技媒体決定ステップと、
前記貸出遊技媒体決定ステップによって決定した数の遊技媒体の貸出を行う遊技媒体貸出ステップと、
前記貸出遊技媒体決定ステップによって決定した遊技媒体の貸出価値を前記プリペイド価値から減算するプリペイド価値減算ステップと
を含んだことを特徴とする遊技媒体貸出方法。
【発明の詳細な説明】
【技術分野】
【０００１】
この発明は、遊技客から受け付けた貨幣額をプリペイド価値として記憶して、記憶したプリペイド価値を減算して、減算した価値に応じた数の遊技媒体の貸出を行う遊技システム及び遊技媒体貸出方法に関する。
【背景技術】
【０００２】
従来、パチンコ店等の遊技店では、遊技客から貨幣を受け付けて、受け付けた貨幣に対応する価値をプリペイド価値として記憶媒体に関連付けて記憶して、当該プリペイド価値を減算して、減算したプリペイド価値に応じた数の遊技媒体の貸出を行うというサービスを行っている。
【０００３】
例えば、特許文献１には、遊技機に併設されるカード処理ユニットにプリペイド価値の関連付けられたプリペイドカードが挿入された状態において、貨幣の投入を受け付けたならば、当該プリペイドカードに関連付けられたプリペイド価値に、受け付けた貨幣の価値を加算し、プリペイド価値の関連付けられたプリペイドカードが挿入された状態において、当該カード処理ユニットにおいて遊技媒体の貸出操作を受け付けると、挿入されたプリペイドカードに関連付けられたプリペイド価値から所定の価値を減算して、減算した価値に応じた数の遊技媒体の貸出を行う技術が開示されている。
【０００４】
かかる特許文献１を用いると、事前にある程度の金額をプリペイド価値として入金して、入金額に応じたプリペイド価値の関連付けられたプリペイドカードなどの記憶媒体を使用すれば、遊技の状況に応じて遊技媒体の貸出が必要な時に、現金をその都度入金しなくても遊技媒体の貸出を行うことが可能となる。また、残ったプリペイド価値は遊技終了時に精算することによって返金することができることから、遊技客の利便性を向上させることができる。
【先行技術文献】
【特許文献】
【０００５】
【特許文献１】特開２００２−３０６８２４号公報
【発明の概要】
【発明が解決しようとする課題】
【０００６】
しかしながら、遊技媒体の貸出レートや遊技媒体の貸出単位数によっては、必ずしもプリペイド価値を残なく使い切ることはできず、遊技媒体の貸出単位数に対応する価値に満たない少額のプリペイド価値が残ってしまうことがあり、遊技客によって少額のプリペイド価値が関連付けられたプリペイドカードなどの記憶媒体が廃棄されてしまうということが少なからず発生してしまう。本来であれば、遊技終了時にプリペイド価値が残っている場合には遊技客の精算操作を受け付けて、プリペイド価値の残を遊技客に返却して、プリペイド価値などが関連付けられていたプリペイドカードなどの記憶媒体は回収されて再利用されることとなる。しかしながら、プリペイドカードが廃棄されてしまって回収されないとなると、遊技店にとっては廃棄されたプリペイドカードなどの記憶媒体を補填しなければならなくなってしまい損害を被ることとなってしまうのである。
【０００７】
また、プリペイドカードなどの記憶媒体を利用して事前に受け付けたプリペイド価値を管理している場合には、プリペイド価値の残高が残っている状況において追加入金によるプリペイド価値の追加を制限していることが少なくない。遊技媒体の貸出レートや遊技媒体の貸出単位数によっては、プリペイド価値を残なく使い切ることができないことがあり、遊技媒体の貸出単位数に対応する価値に満たない少額のプリペイド価値しか残っていない場合などは、遊技媒体の貸出と追加入金のいずれも行えないという状態となってしまう。このような状態において遊技媒体の貸出を行いたい場合には、少額のプリペイド価の精算を行ってプリペイド価値をゼロにした後に、あらためてプリペイド価値の入金を行ったうえで玉貸操作を行う必要があり、遊技客は遊技を継続したいにもかかわらず一旦精算しなければならないという分かりにくい手順が必要となってしまう。
【０００８】
また、プリペイドカードなどの記憶媒体を利用して事前に受け付けたプリペイド価値を管理している多くの遊技店ではプリペイド価値の限度額を有していて、プリペイド価値の限度額を超えてしまうような入金を制限している。遊技媒体の貸出レートや遊技媒体の貸出単位数によっては、プリペイド価値を残なく使い切ることができないことがあり、追加入金を許可しているような店舗であっても、遊技媒体の貸出単位数に対応する価値に満たない少額のプリペイド価値しか残っていない場合において、プリペイド価値の限度額の貨幣を受け付けると、少額であってもプリペイド価値が残っている状態であることからプリペイド価値の限度額を超えることとなってしまい、プリペイド価値の限度額の貨幣の入金を行うことはできない。
【０００９】
遊技媒体の貸出レートや遊技媒体の貸出単位数は、消費税などの外的要因や遊技店の営業戦略などに基づいて決定されるものであり、必ずしもプリペイド価値として入金可能な金額を使い切ることができるように設定されるとは限らない。このことから、遊技媒体の貸出レートや遊技媒体の貸出単位数の設定が、プリペイド価値として入金可能な金額を残なく使い切ることができない場合であっても、プリペイドカードなどのプリペイド価値が関連付けられた記憶媒体が廃棄されることによる遊技店の損害を回避するとともに遊技客の利便性を確保することは重要な課題である。
【００１０】
本発明は、上述した従来技術の課題を解決するためのものであって、遊技媒体の貸出レート及び貸出単位数にどんな値を設定されたとしても遊技店の損害を回避するとともに遊技客の利便性を確保することができる遊技システム及び遊技媒体貸出方法を提供することを目的とする。
【課題を解決するための手段】
【００１１】
上述した課題を解決し、目的を達成するため、本発明は、受け付けた貨幣の価値であるプリペイド価値を用いて遊技媒体の貸出を行う遊技システムであって、前記プリペイド価値の残高に基づいて前記貨幣の入金の可否の判定を行う入金可否判定手段と、前記入金可否判定手段によって入金可能と判定された場合には受け付けた貨幣を入金する入金手段と、前記入金手段によって入金された貨幣に応じた価値を前記プリペイド価値に加算するプリペイド価値加算手段と、前記プリペイド価値のうち所定金額相当分を、前記遊技媒体の貸出への使用を制限する貸出利用制限分とし、前記プリペイド価値から前記貸出利用制限分を除外した貸出利用可能分の残高に応じて前記遊技媒体の貸出数及び貸し出す遊技媒体の貸出価値を決定する貸出遊技媒体決定手段と、前記貸出遊技媒体決定手段によって決定した数の遊技媒体の貸出を行う遊技媒体貸出手段と、前記貸出遊技媒体決定手段によって決定した遊技媒体の貸出価値を前記プリペイド価値から減算するプリペイド価値減算手段とを備えたことを特徴とする。
【００１２】
また、本発明は、上記発明において、前記プリペイド価値の返却の要求を受け付けたならば、前記貸出利用可能分と前記貸出利用制限分の合計価値を返却するプリペイド価値返却手段を更に備えたことを特徴とする。
【００１３】
また、本発明は、上記発明において、前記貸出利用可能分の残高がゼロでない場合に前記貨幣の入金の可否を設定する追加入金可否設定手段をさらに備え、前記入金可否判定手段は、前記追加入金可否設定手段によって前記プリペイド価値の残高がゼロでない場合に前記貨幣の入金が不可と設定されていた場合でも、前記プリペイド価値の前記貸出利用可能分が前記遊技媒体の貸出単位に対応する価値未満の場合には前記貨幣の入金を可能と判定することを特徴とする。
【００１４】
また、本発明は、上記発明において、前記プリペイド価値の上限値を設定する上限値設定手段をさらに備え、前記入金可否判定手段は、前記プリペイド価値の前記貸出利用可能分が前記遊技媒体の貸出単位に対応する価値未満の場合には前記上限値設定手段によって設定された上限値以下の貨幣の入金を可能と判定することを特徴とする。
【００１５】
また、本発明は、上記発明において、前記プリペイド価値の表示を行うプリペイド価値表示手段をさらに備え、前記プリペイド価値表示手段は、前記貸出利用制限分が分かるように表示することを特徴とする。
【００１６】
また、本発明は、上記発明において、前記貸出遊技媒体決定手段は、前記プリペイド価値の前記貸出利用可能分が前記遊技媒体の貸出単位に対応する価値未満の場合で、前記プリペイド価値が前記遊技媒体の貸出単価の整数倍の場合には、前記プリペイド価値に相当する遊技媒体数の貸出を行うことを特徴とする。
【００１７】
また、本発明は、上記発明において、前記貸出遊技媒体決定手段は、前記プリペイド価値の前記貸出利用可能分が前記遊技媒体の貸出単位に対応する価値未満の場合で、前記プリペイド価値が前記遊技媒体の貸出単価の整数倍でない場合には、前記遊技媒体の貸出数は前記プリペイド価値を前記遊技媒体の貸出単価で除算して得られた値の小数点以下を切り捨てた値とし、貸し出す前記遊技媒体の貸出価値は前記プリペイド価値の値とすることを特徴とする。
【００１８】
また、本発明は、上記発明において、前記遊技媒体の貸出の要求を受け付けた場合に、前記プリペイド価値の前記貸出利用可能分が前記遊技媒体の貸出単位に対応する価値未満の場合で、前記プリペイド価値が前記遊技媒体の貸出単価の整数倍でない場合には、前記貸出遊技媒体決定手段によって決定した前記遊技媒体の貸出数と、前記プリペイド価値のうち当該貸出数に対応しない端数金額と、当該貸出の実行によって当該端数金額を無効化することを報知して、当該貸出の実行の可否の入力を受け付ける実行可否受付手段をさらに備えたことを特徴とする。
【００１９】
また、本発明は、上記発明において、前記追加入金可否設定手段によって前記貸出利用可能分の残高がゼロでない場合に前記貨幣の入金が不可と設定されていた場合で、前記プリペイド価値の前記貸出利用可能分が前記遊技媒体の貸出単位に対応する価値未満となった場合に、前記貨幣の入金が可能であることを報知する貨幣入金可能報知手段をさらに備えたことを特徴とする。
【００２０】
また、本発明は、上記発明において、前記プリペイド価値を退避価値として所定の識別情報に関連付けて記憶し、該プリペイド価値をゼロとするプリペイド価値退避手段と、前記識別情報を受け付けて、該識別情報に関連付けて記憶された退避価値を前記プリペイド価値に加算するというプリペイド価値退避解除を行うプリペイド価値退避解除手段とをさらに備えたことを特徴とする。
【００２１】
また、本発明は、上記発明において、前記プリペイド価値退避手段は、前記識別情報を有する記憶媒体を発行し、前記プリペイド価値退避解除手段は、前記プリペイド価値退避手段によって発行された記憶媒体から、前記識別情報を読み取ることによって該識別情報を受け付けることを特徴とする。
【００２２】
また、本発明は、上記発明において、前記記憶媒体は、遊技により獲得された遊技媒体の数を関連付ける記憶媒体であり、当該記憶媒体を一意に識別する識別情報を、前記退避価値を関連付ける識別情報として用いることを特徴とする。
【００２３】
また、本発明は、上記発明において、前記プリペイド価値退避手段は、前記プリペイド価値が所定の価値以上若しくは所定の価値を超える場合に前記記憶媒体の発行を行うことを特徴とする。
【００２４】
また、本発明は、上記発明において、前記プリペイド価値退避手段は、遊技客を認証するための認証情報を前記退避番号に関連付けて記憶し、前記プリペイド価値退避解除手段は、認証情報を受け付けて、受け付けた認証情報が前記プリペイド価値退避手段で記憶する認証情報と一致することを条件として前記プリペイド価値退避解除を行うことを特徴とする。
【００２５】
また、本発明は、受け付けた貨幣の価値であるプリペイド価値を用いて遊技媒体の貸出を行う遊技媒体貸出方法であって、前記プリペイド価値の残高に基づいて前記貨幣の入金の可否の判定を行う入金可否判定ステップと、前記入金可否判定ステップによって入金可能と判定された場合には受け付けた貨幣を入金する入金ステップと、前記入金ステップによって入金された貨幣に応じた価値を前記プリペイド価値に加算するプリペイド価値加算ステップと、前記プリペイド価値のうち所定金額相当分を、前記遊技媒体の貸出への使用を制限する貸出利用制限分とし、前記プリペイド価値から前記貸出利用制限分を除外した貸出利用可能分の残高に応じて前記遊技媒体の貸出数及び貸し出す遊技媒体の貸出価値を決定する貸出遊技媒体決定ステップと、前記貸出遊技媒体決定ステップによって決定した数の遊技媒体の貸出を行う遊技媒体貸出ステップと、前記貸出遊技媒体決定ステップによって決定した遊技媒体の貸出価値を前記プリペイド価値から減算するプリペイド価値減算ステップとを含んだことを特徴とする。
【発明の効果】
【００２６】
本発明によれば、プリペイド価値の残高に基づいて受け付けた貨幣の入金の可否の判定を行い、入金可能と判定された場合には受け付けた貨幣を入金し、入金された貨幣に応じた価値をプリペイド価値に加算し、プリペイド価値のうち所定金額相当分を、遊技媒体の貸出への使用を制限する貸出利用制限分とし、プリペイド価値から貸出利用制限分を除外した貸出利用可能分の残高に応じて遊技媒体の貨出数及び貸し出す遊技媒体の貨出価値を決定し、決定した遊技媒体の貨出数の遊技媒体の貨出を行い、決定した遊技媒体の貨出価値をプリペイド価値から減算するよう構成したので、遊技媒体の貸出レート及び貸出単位数にどんな値を設定されたとしても遊技店の損害を回避するとともに遊技客の利便性を確保することができる。
【図面の簡単な説明】
【００２７】
【図１】図１は、実施例１に係る遊技客から受け付けたプリペイド価値を消費して行う遊技媒体の貸出の概要を説明するための説明図である。
【図２】図２は、実施例１に係る遊技システムのシステム構成を示す図である。
【図３】図３は、図２に示した台間カード処理機の外観構成を示す図である。
【図４】図４は、図２に示した台間カード処理機の実施例１に係る内部構成を示すブロック図である。
【図５】図５は、図２に示した台間カード処理機の実施例１に係るデータ構成について説明するための図である。
【図６】図６は、図２に示したカード管理装置の実施例１に係る内部構成を示すブロック図である。
【図７】図７は、図２に示したカード管理装置の実施例１に係るデータ構成について説明するための図である。
【図８】図８は、図２に示した会員管理装置の実施例１に係る内部構成を示すブロック図である。
【図９】図９は、図２に示した会員管理装置の実施例１に係るデータ構成について説明するための説明図である。
【図１０】図１０は、図２に示した台間カード処理機における玉貸処理に係る画面表示内容と操作内容を説明するための図である。
【図１１】図１１は、図２に示した台間カード処理機における貨幣の受付時の処理手順を示すフローチャートである。
【図１２】図１２は、図２に示した台間カード処理機における玉貸処理の処理手順を示すフローチャートである。
【図１３】図１３は、カード管理装置の実施例２に係る内部構成を示すブロック図である。
【図１４】図１４は、カード管理装置の実施例２に係るデータ構成について説明するための図である。
【図１５】図１５は、台間カード処理機の実施例２に係る内部構成を示すブロック図である。
【図１６】図１６は、台間カード処理機におけるカード返却処理に係る画面表示内容と操作内容を説明するための図である。
【図１７】図１７は、台間カード処理機におけるカード返却処理の処理手順を示すフローチャートである。
【図１８】図１８は、台間カード処理機における繰り越したプリペイド価値を会員カードに移行する処理の処理手順を示すフローチャートである。
【発明を実施するための形態】
【００２８】
以下に、添付図面を参照して、本発明に係る遊技システム及び遊技媒体貸出方法の好適な実施例を詳細に説明する。
【実施例１】
【００２９】
まず、実施例１に係る遊技客から受け付けたプリペイド価値を消費して行う遊技媒体の貸出の概要を、図１を用いて説明する。図１は、遊技客から受け付けた貨幣価値の内３００円をデポジットとして預かり、デポジット分を除いた価値である玉貸用の預入金を減算することによって、減算した価値に応じた遊技玉を貸し出すことを基本とする遊技システムの玉貸にかかる操作と処理の概要を示す図である。また、図１は、遊技玉の貸出レートを１玉あたり税率８％の消費税込みで１玉当たり４．３２円とし、遊技玉の貸出単位は１２５玉を５４０円とした場合の例である。また、遊技システムは、プリペイド価値の残がある場合には、プリペイド価値の追加となる追加入金は受け付けないことを基本とする。また、遊技システムは、遊技終了時にプリペイド価値が残っている場合には、プリペイド価値の関連付けられたカードの返却を行い、当該カードによる精算を受け付けると、残っている当該カードに関連付けられて記憶されているプリペイド価値を遊技客に返却することが可能である。
【００３０】
図１（ａ）は、遊技客からプリペイド価値として１０００円の入金を受け付け済みの状態を示しており、デポジットが３００円で、残りの７００円が玉貸用の預入金であることを示している。図１（ａ）に示すプリペイド価値の状態において、玉貸操作を受け付けた場合には、貸出単位である１２５玉（５４０円相当）を貸し出して、預入金７００円から貸し出した玉数に対応する５４０円を減算する。図１（ｂ）は、図１（ａ）の預入金から１２５玉の貸出に対応する５４０円を減算した結果であり、預入金は１６０円となる。
【００３１】
図１（ｂ）に示すプリペイド価値の状況では、玉貸用の預入金が遊技玉の貸出単位の５４０円未満となっていることから、通常の玉貸を行うことはできない。また、プリペイド価値の残高があることから、プリペイド価値の追加となる追加入金は受け付けないのが基本である。しかしながら、図１（ｂ）のように、玉貸用の預入金が貸出単位金額未満となってしまった場合に、追加入金も残っているプリペイド価値を使用しての玉貸も行えないとなると、遊技客は残高を精算するしかないことになってしまう。このため、使い切れない端数金額が残る都度、精算を行うことが必要となり、遊技客の利便性が損なわれるとともに、精算処理を行う精算機８０を使う頻度が高くなることから精算機８０の増設が必要となり、増設による設備コスト増を招いてしまうこととなる。
【００３２】
そこで、貸玉用の預入金が貸出単位金額未満となった場合には、入金限度額を上限とする金額の追加入金を可能とする。また、貸玉用の預入金が貸出単位金額未満となった場合には、デポジットの金額を含めたプリペイド価値の全額を使い切ることを条件に、プリペイド価値に応じた遊技玉の貸出を行うことも可能とする。これによって、貸玉用の預入金が貸出単位金額未満となった状態において遊技を継続したいと考えている遊技客にとっても、残っているプリペイド価値を使い切って遊技終了としたいと考えている遊技客にとっても、残った端数を精算機８０で精算する必要がなくなる。
【００３３】
図１（ｂ）の状態は、貸玉用の預入金が貸出単位金額（＝５４０円）未満となっていることから、入金限度額（＝１０，０００円）を上限とする金額の追加入金を行うことが可能である。このことから、図１（ｂ）の状態において、１０，０００円の追加入金が可能で、１０，０００円の追加入金を受け付けたならば、図１（ｃ）に示すように、玉貸用の預入金（＝１６０円）は、追加入金額（＝１０，０００円）が加算されて１０，１６０円となる。
【００３４】
また、図１（ｂ）の状態は、貸玉用の預入金が貸出単位金額（＝５４０円）未満となっていることから、残っているデポジットを含むプリペイド価値（４６０円）全額を使い切るような遊技玉の貸出を行うことができる。図１（ｂ）の状態で、玉貸操作を受け付けたならば、図１（ｄ）に示す画面が表示される。図１（ｄ）は、デポジットを含むプリペイド価値全額を使用して１０６玉の玉貸を行う旨のメッセージの表示に加えて、図１（ｂ）の状態で有していたプリペイド価値である４６０円が遊技玉の貸出単価（４．３２円／玉）で割り切れないので、端数金額（約２．１円）を取り込む旨のメッセージの表示を行うことを示している。図１（ｄ）に示した画面において、遊技客が画面上の「実行」ボタンを押下した場合には、１０６玉（約４５７．９円相当）の遊技玉の貸出を行い、端数金額（約２．１円）を取り込み、プリペイド価値をゼロにクリアする。
【００３５】
このように、遊技客から受け付けたプリペイド価値から所定価値をデポジットとして扱い、プリペイド価値からデポジット分を差し引いた価値である預入金を減算することによって遊技媒体の貸出を行うようにした。また、預入金が遊技媒体の貸出単位に対応する価値未満の場合にはプリペイド価値の追加、若しくはデポジットを含むプリペイド価値をゼロにしてデポジットを含むプリペイド価値に応じた数の遊技媒体の貸出を可能としたので、遊技媒体の貸出レート及び貸出単位数にどんな値を設定されたとしても遊技店の損害を回避するとともに遊技客の利便性を確保することができる。
【００３６】
次に、実施例１に係る遊技媒体管理システムのシステム構成を説明する。図２は、実施例１に係る遊技システムのシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３７】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３８】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機２０の制御装置は、入賞領域ごとに何個の遊技玉を賞玉として付与するかを記憶する賞玉メモリを有している。
【００３９】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００４０】
台間カード処理機１０は、入金の受付、遊技玉の貸出並びにカード管理装置４０との通信を行う。台間カード処理機１０は、遊技客が投入した紙幣を受け付けたならば、入金額を含む入金通知をカード管理装置４０に送信することで、受け付けた紙幣の価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉を払い出す。
【００４１】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００４２】
また、台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉を払い出す。
【００４３】
台間カード処理機１０は、カード返却操作を受け付けたならば、自装置が管理する持玉数を含む持玉加算要求をカード管理装置４０に送信し、カード管理装置４０に持玉を加算させた後、カード排出通知をカード管理装置４０に送信し、カードを排出制御する。
【００４４】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００４５】
カード管理装置４０は、台間カード処理機１０からカード挿入通知を受信したならば、挿入されたカードのＩＤと台間カード処理機１０とを関連付けて管理し、該カードＩＤに関連付けられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００４６】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００４７】
また、カード管理装置４０は、台間カード処理機１０から玉貸要求を受信した場合には、対応するプリペイド価値を所定値減算し、玉貸許可を台間カード処理機１０に送信する。また、カード管理装置４０は、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００４８】
また、カード管理装置４０は、景品管理装置６０からカードＩＤを受信したならば、このカードＩＤに関連付けられた持玉数を景品管理装置６０に対して通知する。さらに、精算機８０からカードＩＤを受信したならば、このカードＩＤに関連付けられたプリペイド価値を精算機８０に対して通知する。
【００４９】
会員管理装置５０は、遊技店に会員登録された会員の会員管理データ５５ａを管理する管理装置である。具体的には、会員に対して発行した会員カードＩＤに関連付けて、貯玉数、ポイント、暗証番号及び氏名等を管理する。
【００５０】
会員管理装置５０は、台間カード処理機１０からカード挿入通知を受信したならば、カード挿入通知に示されたカードＩＤに対応する貯玉口座の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連付けられた貯玉口座の残高を所定数減算し、減算後の貯玉口座の残高を含む貯玉再プレイデータを台間カード処理機１０に送信する。なお、台間カード処理機１０と会員管理装置５０との通信は、カード管理装置４０を介して行なわれる。
【００５１】
また、会員管理装置５０は、景品管理装置６０から貯玉数の問い合わせを受けたならば、指定されたカードＩＤに対応する貯玉口座の残高を景品管理装置６０に通知する。
【００５２】
景品管理装置６０は、遊技店内の景品交換カウンタに併設された景品交換用の端末装置であり獲得玉、貯玉及び持玉の景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００５３】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００５４】
図２に示したシステムで玉貸を行う場合の玉貸処理について説明する。遊技客が台間カード処理機１０において玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００５５】
カード管理装置４０は、玉貸要求を含む電文を受信すると、該電文内のカードＩＤに関連付けられたプリペイド価値を所定値減算して、玉貸許可を送信元の台間カード処理機１０に送信する。玉貸許可を受信した台間カード処理機１０は、減算したプリペイド価値に対応する数（例えば１２５玉）の遊技玉を払い出す。
【００５６】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００５７】
カード管理装置４０は、台間カード処理機１０からカード挿入通知を受信した場合には、該電文内のカードＩＤに関連付けられた各レートの持玉口座の残高を台間カード処理機１０に通知する。
【００５８】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤにより特定される各レートの持玉口座の残高をゼロにクリアする。台間カード処理機１０は、持玉再プレイ操作を受け付けた場合には、記憶した持玉の残高を所定数減算し、対応する数の遊技玉を払い出す。
【００５９】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、各レートの持玉の残高と持玉加算要求とを含む。
【００６０】
カード管理装置４０は、持玉加算要求を受け付けた場合には、該電文内のカードＩＤに関連付けられた各レートの持玉口座の残高を受信した残高の値に更新する。
【００６１】
その後、台間カード処理機１０は、カード管理装置４０にカード排出通知を送信し、カードを排出制御する。
【００６２】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００６３】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高とを含む貯玉再プレイデータを台間カード処理機１０に送信する。
【００６４】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受け付け可能とする。なお、ここでは、貯玉口座の残高が払出単位数以上である場合に貯玉再プレイ操作を受け付け可能とする場合について説明を行なったが、貯玉再プレイデータに貯玉再プレイ可能回数が示されているならば、貯玉再プレイ可能回数が１以上である場合に貯玉再プレイ操作を受け付け可能としてもよい。
【００６５】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００６６】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００６７】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高を含む貯玉再プレイデータを台間カード処理機１０に送信する。
【００６８】
台間カード処理機１０は、貯玉再プレイデータを受信して貯玉口座の残高を更新し、遊技玉を貯玉再プレイ単位数だけ払い出す。また、更新後の貯玉口座の残高が貯玉再プレイ単位数未満となったかを判定し、貯玉再プレイ単位数未満となったならば、貯玉再プレイ操作を受け付け不能とする。更新後の貯玉口座の残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。なお、暗証番号の確認を毎回行なうように設定してもよい。
【００６９】
次に、閉店処理における持玉からの貯玉への移行について説明する。カード管理装置４０は、閉店処理時にカード管理データ４５ａの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００７０】
次に、図２に示した台間カード処理機１０の外観構成を説明する。図３は、台間カード処理機１０の外観構成を示す図である。なお、図３には、遊技機２０に接続された台間カード処理機１０の外観構成を台間カード処理機１０として示している。また、併設される遊技機２０は、破線で図示している。また、図３では、紙幣のみを受け付ける台間カード処理機１０を図示したが、硬貨受け付け用のユニットを設けることもできる。
【００７１】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機２０に投出するノズルユニット１８ａと、遊技機２０の下皿から落下させた遊技玉を計数する計数ユニット１８ｂとを有する。
【００７２】
次に、図２に示した台間カード処理機１０の実施例１に係る内部構成を説明する。図４は、台間カード処理機１０の実施例１に係る内部構成を示すブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００７３】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸し操作等の各種操作の受け付けを行なうタッチパネルディスプレイ等の入出力装置である。
【００７４】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【００７５】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払い出しに使用される。計数ユニット１８ｂは、遊技玉を計数するユニットである。
【００７６】
記憶部１６は、ハードディスク装置や不揮発性メモリ等からなる記憶デバイスである。記憶部１６は、カードＩＤ１６ａ、有価価値データ１６ｂ、装置ＩＤ１６ｃ、遊技設定データ１６ｄ及び貸遊技媒体パラメータ１６ｅを記憶する。
【００７７】
カードＩＤ１６ａは、リーダライタ１４により読み取られたカードＩＤである。カード挿入口１４ａから図示しないカード収納部にカードが搬送される場合には、この搬送途中でリーダライタ１４により読み取られたカードＩＤによってカードＩＤ１６ａが更新される。また、カードが挿入されていない状態で入金が行なわれたならば、図示しないカード収納部からリーダライタ１４にカードが搬送され、リーダライタ１４により読み取られたカードＩＤによってカードＩＤ１６ａが更新される。なお、実施例１ではカードが挿入されていない状態の入金操作で、図示しないカード収納部からリーダライタ１４にカードが搬送され、リーダライタ１４により読み取られたカードＩＤによってカードＩＤ１６ａが更新されるとしたが、これに限定するものではない。最後にカードが排出された時に、図示しないカード収納部の一番上にあるカードをリーダライタ１４に搬送して、カードＩＤを読み取って記憶しておくことによって、遊技客によるカード挿入がされていない状態で入金された場合には、記憶しているカードＩＤでカードＩＤ１６ａを更新するものとしてもよい。
【００７８】
有価価値データ１６ｂは、遊技玉の払い出しを受けるために使用可能な有価価値を示すデータである。この有価価値には、玉貸しに使用可能なプリペイド価値の残高、持遊技媒体口座の残高、貯玉再プレイ用の暗証番号並びに貯遊技媒体口座の残高を含む。
【００７９】
装置ＩＤ１６ｃは、台間カード処理機１０を遊技店内で一意に識別するための識別情報である。遊技設定データ１６ｄは、台間カード処理機１０に設定された遊技種等を示すデータである。遊技店内で複数のレートの遊技玉を扱う場合には、４円レートの遊技玉に「玉４円」、２円レートの遊技玉に「玉２円」、１円レートの遊技玉に「玉１円」のように、遊技種ごとに遊技種名を設定して管理している。また、遊技設定データ１６ｄは、設定されている遊技種に対して使用する遊技媒体の種類や当該遊技媒体の貸出単価に係る情報を有する。
【００８０】
貸遊技媒体パラメータ１６ｅは、遊技媒体の貸出に係る情報であり、遊技媒体の貸出に使用するプリペイド価値の入金限度額やデポジット金額などを含む。
【００８１】
制御部１７は、台間カード処理機１０を全体制御する制御部であり、データ管理部１７ａ、計数処理部１７ｂ、入金処理部１７ｃ及び玉貸処理部１７ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００８２】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【００８３】
また、データ管理部１７ａは、遊技客により持玉再プレイ操作が行なわれた場合に、有価価値データ１６ｂに示された持玉口座の残高を所定数減算し、対応する数の遊技玉を払い出す。
【００８４】
また、データ管理部１７ａは、有価価値データ１６ｂに示された貯玉口座の残高が貯玉再プレイ単位数以上である場合には、表示操作部１３に貯玉再プレイボタンを表示し、貯玉再プレイ操作を受け付け可能とする。データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイデータを受信したならば、貯玉口座の残高を更新し、貯玉再プレイ単位数の遊技玉を払い出す。なお、初回の貯玉再プレイ操作時には、暗証番号の入力を求め、有価価値データ１６ｂに示された暗証番号と一致することを貯玉再プレイ要求を送信するための条件とする。
【００８５】
また、データ管理部１７ａは、遊技客によりカード返却操作が行なわれた場合に、カードＩＤ１６ａ、装置ＩＤ１６ｃ並びに持玉数を含む持玉加算要求をカード管理装置４０に送信して、自装置持玉口座の残高を０にクリアした後、カード排出通知をカード管理装置４０に送信し、カードを排出する。
【００８６】
計数処理部１７ｂは、計数ユニット１８ｂに遊技玉が投入された場合に、計数ユニット１８ｂに遊技玉の計数を行わせ、計数結果を有価価値データ１６ｂの持玉数に加算する処理を行なう。
【００８７】
入金処理部１７ｃは、紙幣挿入口１２ａに紙幣が挿入されると、現在のプリペイド価値の状態と貸遊技媒体パラメータ１６ｅに設定されている入金に係る条件に基づいて入金の可否の判定を行い、入金が可能と判定した場合には挿入された紙幣の金額、カードＩＤ１６ａ及び装置ＩＤ１６ｃを含む入金通知をカード管理装置４０に送信するとともに、有価価値データ１６ｂのプリペイド価値に入金額を加算する。
【００８８】
玉貸処理部１７ｄは、遊技客による玉貸操作を受け付けたならば、有価価値データ１６ｂのプリペイド価値、遊技設定データ１６ｄの遊技媒体の貸出単価と貸出単位及び貸遊技媒体パラメータ１６ｅのデポジット金額に基づいて遊技媒体の貸出の可否の判定を行い、遊技媒体の貸出が可能と判定した場合には、貸し出す遊技媒体数と、当該貸出に対応してプリペイド価値から減算すべき金額とを算出する。また、玉貸処理部１７ｄは、遊技媒体の貸出が可能と判定した場合には、カードＩＤ１６ａ、装置ＩＤ１６ｃ及び当該貸出に対応してプリペイド価値から減算すべき金額を含む玉貸要求をカード管理装置４０に送信する。この玉貸要求の応答として更新されたプリペイド価値を含む玉貸許可を受信したならば、玉貸処理部１７ｄは、カード管理装置４０から受け付けたプリペイド価値で有価価値データ１６ｂの更新を行い、予め算出しておいた数の遊技媒体の貸出を行う。
【００８９】
次に、図２に示した台間カード処理機１０の実施例１に係るデータ構成について説明する。図５は、台間カード処理機１０の実施例１に係るデータ構成について説明するための説明図である。
【００９０】
有価価値データ１６ｂは、カードＩＤ１６ａに関連付けて管理されているプリペイド価値、遊技種ごとの持遊技媒体の残高、貯玉再プレイ用の暗証番号及び遊技種ごとの貯遊技媒体の残高を有する。図５の有価価値データ１６ｂの例は、プリペイド価値が「８３０」円で、持遊技媒体の玉４円の遊技種の残高が「０」玉、玉２円の遊技種の残高が「０」玉、玉１円の遊技種の残高が「０」玉、メダル２０円の遊技種の残高が「０」枚、メダル５円の遊技種の残高が「０」枚で、貯玉再プレイ用の暗証番号が「１２３４」で、貯遊技媒体の玉４円の遊技種の残高が「２００」玉、玉２円の遊技種の残高が「０」玉、玉１円の遊技種の残高が「２０００」玉、メダル２０円の遊技種の残高が「０」枚、メダル５円の遊技種の残高が「４００」枚であることを示している。
【００９１】
遊技設定データ１６ｄは、遊技種名と当該遊技種に対応する遊技媒体種と遊技媒体単価と遊技媒体貸出単位とを含む。遊技媒体単価には、遊技媒体数と当該遊技媒体数に対応する税込の価格とを有する。また、遊技媒体貸出単位は、通常の遊技媒体の貸出の単位である遊技媒体数と当該遊技媒体数に対応する税込の価格とを有する。図５の遊技設定データ１６ｄの例は、遊技種名が「玉４円」で、使用する遊技媒体の種類が「遊技玉」で、遊技媒体単価が遊技媒体数「２５玉」が税込価格「１０８円」で、遊技媒体貸出単位が遊技媒体数「１２５玉」で税込価格「５４０円」であることを示している。
【００９２】
貸遊技媒体パラメータ１６ｅは、追加入金の可否と、入金の上限額と、デポジット金額とを有する。追加入金の可否とは、デポジット分を除くプリペイド価値の残高が有る状態における追加入金の可否を示すパラメータである。ただし、遊技設定データ１６ｄに設定される遊技媒体貸出単位の税込価格によっては、デポジット金額を除いたプリペイド価値の残高が遊技媒体貸出単位の税込価格未満の場合があり、その場合には遊技設定データ１６ｄに設定される遊技媒体貸出単位での遊技媒体の貸出はできないことから、追加入金が不可の設定となっている場合においても、追加入金を行うことが可能である。
【００９３】
入金の上限額は、プリペイド価値として入金可能な上限の金額である。ただし、遊技設定データ１６ｄに設定される遊技媒体貸出単位の税込価格によっては、デポジット金額を除いたプリペイド価値の残高が遊技媒体貸出単位の税込価格未満の場合があり、その状態において入金上限額に設定されている金額を追加で入金することを可能とする。デポジット金額は、プリペイド価値の内数であり原則として遊技媒体の貸出に使用することのできない金額を示す。図５に示す貸遊技媒体パラメータ１６ｅの例は、追加入金可否が「不可」で、入金上限額が「１０，０００円」で、デポジット金額が「３００円」であることを示している。
【００９４】
次に、図２に示したカード管理装置４０の内部構成を説明する。図６は、カード管理装置４０の内部構成を示すブロック図である。図６に示すように、カード管理装置４０は、表示部４１及び入力部４２と接続され、店舗ネットワーク通信部４４、記憶部４５及び制御部４６を有する。
【００９５】
表示部４１は、液晶パネルやディスプレイ装置等である。入力部４２は、キーボードやマウス等である。店舗ネットワーク通信部４４は、通信回線を介して台間カード処理機１０、会員管理装置５０、景品管理装置６０等とデータ通信するためのインタフェース部である。
【００９６】
記憶部４５は、ハードディスク装置や不揮発性メモリ等の記憶デバイスであり、カード管理データ４５ａを記憶する。
【００９７】
カード管理データ４５ａは、カードＩＤに対し、プリペイド価値の残高と、遊技種ごとの持遊技媒体口座の残高と、該カードが挿入されている台間カード処理機１０のＩＤを示す使用先ＩＤとを対応付けたデータである。
【００９８】
制御部４６は、カード管理装置４０を全体制御する制御部であり、カード管理部４６ａ、入金処理部４６ｂ及び玉貸処理部４６ｃを有する。実際には、この機能部に対応するプログラムを図示しないＲＯＭや不揮発性メモリに記憶しておき、このプログラムをＣＰＵ（Central Processing Unit）にロードして実行することにより、カード管理部４６ａに対応するプロセスを実行させることになる。
【００９９】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられたプリペイド価値と各遊技種の持遊技媒体口座の残高とを有価価値として台間カード処理機１０に通知する。また、挿入されたカードが会員カードである場合には、会員管理装置５０に対してカード挿入通知を転送する。カード管理部４６ａは、台間カード処理機１０から持遊技媒体減算要求を受信した場合に、持遊技媒体減算要求に示された持遊技媒体口座の残高をゼロにクリアしてカード管理データ４５ａを更新する。
【０１００】
また、カード管理部４６ａは、台間カード処理機１０から貯遊技媒体再プレイ要求を受信した場合には、該貯遊技媒体再プレイ要求を会員管理装置５０に転送する。また、貯遊技媒体再プレイ要求に対する会員管理装置５０からの応答についても、カード管理部４６ａが転送制御をおこなう。
【０１０１】
また、カード管理部４６ａは、持遊技媒体加算要求を受信した場合には、持遊技媒体加算要求に示された持遊技媒体口座の残高に、受信した持遊技媒体数を加算して、カード管理データ４５ａを更新する。また、カード管理部４６ａは、カード排出通知を受信した場合には、該カードＩＤの使用先について値を消去し、カード管理データ４５ａを更新する。
【０１０２】
また、カード管理部４６ａは、景品管理装置６０からカードＩＤを受信したならば、このカードＩＤに対応づけられた各遊技種の持遊技媒体口座の残高を景品管理装置６０に対して通知する。
【０１０３】
入金処理部４６ｂは、台間カード処理機１０から入金金額、カードＩＤ１６ａ及び装置ＩＤ１６ｃを含む入金通知を受信した場合に、該カードＩＤに関連付けられたプリペイド価値に、通知に示された金額を加算して、カード管理データ４５ａを更新する。
【０１０４】
玉貸処理部４６ｃは、台間カード処理機１０からカードＩＤ及びプリペイド価値から減算すべき金額を含む玉貸要求を受信した場合に、該カードＩＤに関連付けられたプリペイド価値が受け付けたプリペイド価値から減算すべき金額以上であるか否かを判定する。プリペイド価値が受け付けたプリペイド価値から減算すべき金額以上である場合には、カード管理部４６ａは、プリペイド価値から指定された値を減算してカード管理データ４５ａを更新し、台間カード処理機１０に更新後のプリペイド価値を含む玉貸許可を送信する。一方、プリペイド価値が受け付けたプリペイド価値から減算すべき金額未満である場合には、カード管理部４６ａは、台間カード処理機１０に玉貸不可を通知する。
【０１０５】
次に、図２に示したカード管理装置４０の実施例１に係るデータ構成について説明する。図７は、カード管理装置４０の実施例１に係るデータ構成について説明するための説明図である。
【０１０６】
カード管理データ４５ａは、カードＩＤに関連付けて、該カードＩＤのカードを使用している装置の使用先ＩＤと、プリペイド価値と、持遊技媒体数とを有する。また、持遊技媒体数は、遊技種ごとの持遊技媒体の残高であり、遊技種が玉４円、玉２円、玉１円、メダル２０円及びメダル５円の持遊技媒体の残高を有している。
【０１０７】
図７のカード管理データ４５ａの例は、カードＩＤ「００００１」のカードが、使用先ＩＤが示す「５００６」の装置で使用中で、プリペイド価値が「８３０」円であり、玉４円の持玉数が「０」玉で、玉２円の持玉数が「０」玉で、玉１円の持玉数が「０」玉で、メダル２０円の持メダル数が「０」枚で、メダル５円の持メダル数が「０」枚であることを示している。また、カードＩＤ「０１００１」のカードが、使用先ＩＤが示す「２００３」の装置で使用中で、プリペイド価値が「４０００」円であり、玉４円の持玉数が「０」玉で、玉２円の持玉数が「０」玉で、玉１円の持玉数が「０」玉で、メダル２０円の持メダル数が「６００」枚で、メダル５円の持メダル数が「２００」枚であることを示している。
【０１０８】
次に、図２に示した会員管理装置５０の実施例１に係る内部構成を説明する。図８は、会員管理装置５０の実施例１に係る内部構成を示すブロック図である。図８に示すように、会員管理装置５０は、表示部５１及び入力部５２と接続される。表示部５１は、液晶パネルやディスプレイ装置等であり、入力部５２は、キーボードやマウス等である。
【０１０９】
また、会員管理装置５０は、外部ネットワーク通信部５３と、店舗ネットワーク通信部５４と、記憶部５５と、制御部５６とを有する。外部ネットワーク通信部５３は、遊技店外のネットワークを介してデータ通信するためのインタフェース部である。店舗ネットワーク通信部５４は、遊技店内の通信回線を介して景品管理装置６０及びカード管理装置４０等とデータ通信するためのインタフェース部である。
【０１１０】
記憶部５５は、ハードディスク装置や不揮発性メモリ等の記憶デバイスであり、会員管理データ５５ａ、遊技種設定データ５５ｂ及び景品マスタ５５ｃを記憶する。会員管理データ５５ａは、会員に対して発行した会員カードのカードＩＤに関連付けて、氏名、貯玉、携帯ＩＤｍ、住所、電話番号等を関連付けたデータである。
【０１１１】
遊技種設定データ５５ｂは、遊技種に対して貸出レート、交換レート及び表示名を関連付けたデータである。景品マスタ５５ｃは、遊技玉を景品に交換する際に使用するデータである。
【０１１２】
制御部５６は、会員管理装置５０を全体制御する制御部であり、会員管理部５６ａ及び景品マスタ管理部５６ｂを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【０１１３】
会員管理部５６ａは、会員管理データ５５ａの管理を行なう処理部である。会員管理部５６ａは、カード管理装置４０及び景品管理装置６０と通信して、カードＩＤに関連付けられた貯玉口座の残高を更新する。また、会員管理部５６ａは、台間カード処理機１０から貯玉再プレイ要求を受信したならば、貯玉再プレイ要求に示されたカードＩＤに関連付けられた貯玉口座の残高を所定数減算し、減算後の貯玉口座の残高を含む貯玉再プレイデータを台間カード処理機１０に送信する。また、会員管理部５６ａは、会員登録要求を受け付けた場合には、会員管理データ５５ａに会員を追加する更新を行なう。景品マスタ管理部５６ｂは、景品マスタ５５ｃの更新及び更新を行った場合の景品管理装置６０への配信処理を行う。
【０１１４】
次に、図２に示した会員管理装置５０の実施例１に係るデータ構成について説明する。図９は、会員管理装置５０の実施例１に係るデータ構成について説明するための説明図である。
【０１１５】
会員管理データ５５ａは、カードＩＤに関連付けて、会員区分、携帯ＩＤｍ、暗証番号、会員個人情報及び貯遊技媒体数をレコードの保有項目とするデータである。会員個人情報には、氏名、住所、電話番号などの情報を有する。貯遊技媒体数は遊技種ごとに預け入れられた遊技媒体の数を有している。
【０１１６】
図９の会員管理データ５５ａの例は、カードＩＤが「００００１」の会員が、会員区分が「正規会員」で、遊技種が玉４円の貯玉が「２００」玉で、遊技種が玉２円の貯玉が「０」玉で、遊技種が玉１円の貯玉が「２０００」玉で、遊技種がメダル２０円の貯メダルが「０」枚で、遊技種がメダル５円の貯メダルが「４００」枚であることを示すレコードを有していることを表している。
【０１１７】
遊技種設定データ５５ｂは、遊技種名、遊技媒体種、貸出レート、交換レート及び表示名等をレコードの保有項目とするデータである。図９の遊技種設定データ５５ｂの例は、遊技種名が「玉４円」の遊技種とは、遊技媒体種が「遊技玉」で、貸出レートが１玉「４．３２円」で、交換レートが１玉「４円」で、表示名が「４パチ」であり、遊技種名が「玉２円」の遊技種とは、遊技媒体種が「遊技玉」で、貸出レートが１玉「２．１６円」で、交換レートが１玉「２円」で、表示名が「２パチ」であることを示すレコードを有していることを表している。
【０１１８】
景品マスタ５５ｃは、景品を一意に識別する景品コードに対し、景品名、群コード、景品価値及び交換遊技媒体数を関連付けたデータである。ここで、群コードは景品を分類して管理する為の識別情報である。群コード「０１」は、一定の手続きを経て所定の価値で譲渡可能な特殊景品を示す。群コード「０２」以降は、特殊景品以外の日用品などを含む一般景品である。
【０１１９】
図９の景品マスタ５５ｃの例は、景品コード「０００１」に対し、景品名「大景品」、群コード「０１」、景品価値「１０００」、玉４円の交換玉数「２５０」、玉２円の交換玉数「５００」、玉１円の交換玉数「１０００」、メダル２０円の交換メダル数「５０」並びにメダル５円の交換メダル数「２００」を関連付けている。
【０１２０】
また、図９の景品マスタ５５ｃの例は、景品コード「０００２」に対し、景品名「小景品」、群コード「０１」、景品価値「１００」、玉４円の交換玉数「２５」、玉２円の交換玉数「５０」、玉１円の交換玉数「１００」、メダル２０円の交換メダル数「５」並びにメダル５円の交換メダル数「２０」を関連付けている。
【０１２１】
次に、図２に示した台間カード処理機１０における玉貸処理にかかる画面表示内容と操作内容を、図１０を用いて説明する。
【０１２２】
図１０（ａ）の画面は、一般カードも会員カードも挿入されていない状態で、プリペイド価値の残高もない状態であることを示す。また、画面の中央には１２５玉、５４０円が玉貸の単位であることを示す情報が表示されている。また、画面の下部には、各種情報を表示するためのボタンである「ｉｎｆｏ」ボタンと、当該台間カード処理機１０の操作に係るメニューを表示するための「メニュー」ボタンとが配置される。
【０１２３】
図１０（ａ）の画面の状態において、紙幣挿入口１２ａに千円札が挿入されることによって千円の入金が行われた場合には、図１０（ｂ）に示す画面に遷移する。図１０（ｂ）の画面には入金された１０００円がプリペイド価値の残金として画面上部に表示される。またプリペイド価値の内、３００円がデポジットであることも画面上に明示される。また、プリペイド価値の残高があることから玉貸操作のための「玉貸」ボタンが画面上に表示される。また、入金されたことによって内部のカード収納部からリーダライタ１４にカードが搬送され、リーダライタ１４により搬送されたカードのカードＩＤが読み取られ、入金によって発生したプリペイド価値は当該カードＩＤに関連付けて管理されることとなる。また、図１０（ｂ）に示すようにプリペイド価値の関連付けられた一般カードが台間カード処理機内に保持された状態であることを示す「一般カード」という表示がおこなわれる。
【０１２４】
図１０（ｂ）の画面の状態において「玉貸」ボタンの押下による玉貸操作が行われると、プリペイド価値の１０００円から、玉貸単位に対する金額である５４０円を減算して、玉貸単位である１２５玉の遊技玉の払出を行って図１０（ｃ）に示す画面に遷移する。図１０（ｃ）に示すように残高の欄には玉貸による更新後のプリペイド価値である「４６０円」が表示される。また、残高「４６０円」のうちデポジット金額は３００円であり、残りの１６０円が玉貸に利用することのできる預入金ということになる。当該預入金が玉貸単位金額である５４０円を下回っていることから、追加入金が可能となり、図１０（ｃ）に示すように「※追加入金可」の表示を行う。また、図１０（ｃ）に示すように預入金が玉貸単位金額である５４０円を下回って「※追加入金可」の表示が行われている状態においては、追加入金は貸遊技媒体パラメータ１６ｅに設定される入金上限額の追加入金を行うことが可能である。図１０（ｃ）の画面の状態において、紙幣挿入口１２ａに入金上限額に相当する一万円札が挿入されることによって一万円の入金が行われた場合には、図１０（ｄ）に示す画面に遷移する。図１０（ｄ）は、一万円の入金によってプリペイド価値の残高が「１０，４６０円」になったことを示している。
【０１２５】
また、図１０（ｃ）に示すように預入金が玉貸単位金額である５４０円を下回っている場合においても「玉貸」ボタンは表示され、プリペイド価値使い切りによる玉貸が行えることを示している。図１０（ｃ）の画面の状態において「玉貸」ボタンの押下による玉貸操作が行われると、図１０（ｅ）に示す画面に遷移する。図１０（ｅ）の画面は、プリペイド価値の全額を使い切って１０６玉を払い出すこと、及びその際に発生する端数金額（約２．１円）は取り込まれることを表示して、表示した内容で遊技玉の貸出を行うことを遊技客に確認を行うための画面である。図１０（ｅ）の画面下部には「実行」ボタンと「キャンセル」ボタンが配置され、「実行」ボタン若しくは「キャンセル」ボタンを操作することによって、プリペイド価値全額使い切りによる玉貸を行うか否かを遊技客が選択することを可能としている。「キャンセル」ボタンが押下された場合には、図１０（ｃ）の画面で操作された「玉貸」ボタンの押下をキャンセルして、図１０（ｃ）に示す画面に戻る。
【０１２６】
また、「実行」ボタンが押下された場合には、プリペイド価値全額使い切りによる玉貸が行われ図１０（ｆ）に示す画面に遷移する。具体的には、残高４６０円のうち約４５７．９円に対応する１０６玉の遊技玉の払出を行い、端数金額の約２．１円は取り込まれることとなる。図１０（ｆ）は、プリペイド価値全額使い切りによる玉貸が行われたことによって、プリペイド価値が無くなり残高を表す欄自体が消去され、カードに関連付けられた価値も無くなったので「一般カード」の表示が消去され、プリペイド価値がなくなったことから玉貸操作が行えない状態となり「玉貸」ボタンも消去されたことを示している。
【０１２７】
なお、図１０に示した画面表示内容では、デポジットを含むプリペイド価値とデポジットとを残高の欄に表示する例を説明したが、本発明はこれに限定されない。例えば、デポジットを含むプリペイド価値のみを表示するようにしたり、デポジットを除くプリペイド価値のみを表示するようにしたり、デポジットを除くプリペイド価値とデポジットとを表示するようにしてもよい。
【０１２８】
次に、図２に示した台間カード処理機１０における貨幣の受付時の処理手順を説明する。図１１は、台間カード処理機１０における貨幣の受付時の処理手順を示すフローチャートである。
【０１２９】
紙幣挿入口１２ａへの紙幣の挿入を受け付けて（ステップＳ１０１；Ｙｅｓ）、その時点で有価価値データ１６ｂのプリペイド価値の残高がゼロではなく（ステップＳ１０２；Ｙｅｓ）、貸遊技媒体パラメータ１６ｅの追加入金が「不可」で（ステップＳ１０３；Ｎｏ）、プリペイド価値の残高が遊技設定データ１６ｄの遊技媒体貸出単位の税込価格と、貸遊技媒体パラメータ１６ｅのデポジット金額との合計値以上である場合（ステップＳ１０４；Ｙｅｓ）には、入金処理部１７ｃは、表示操作部１３に追加入金が不可である旨のメッセージの表示を行って（ステップＳ１０５）、受け付けた紙幣を紙幣挿入口１２ａに排出することによって遊技客に返却して（ステップＳ１０６）、処理を終了する。
【０１３０】
プリペイド価値の残高が遊技媒体貸出単位の税込価格とデポジット金額との合計額未満で（ステップＳ１０４；Ｎｏ）、挿入された紙幣が入金限度額を超過している場合（ステップＳ１０７；Ｙｅｓ）には、入金処理部１７ｃは、表示操作部１３に入金限度額をオーバーしている旨のメッセージの表示を行って（ステップＳ１０８）、ステップＳ１０６に移行する。また、挿入された紙幣が入金限度額以下である場合（ステップＳ１０７；Ｎｏ）には、ステップＳ１１０に移行する。
【０１３１】
また、貸遊技媒体パラメータ１６ｅの追加入金が「可」で（ステップＳ１０３；Ｙｅｓ）、挿入された紙幣とプリペイド価値の合計額が入金限度額の範囲内である場合（ステップＳ１０９；Ｙｅｓ）には、入金処理部１７ｃは、受け付けた紙幣の真贋判定及び真券であると判定された紙幣を収納して（ステップＳ１１０）、収納した紙幣に対応する価値をプリペイド価値に加算して（ステップＳ１１１）、処理を終了する。また、挿入された紙幣とプリペイド価値の合計額が入金限度額を超過する場合（ステップＳ１０９；Ｎｏ）には、ステップＳ１０８に移行する。
【０１３２】
また、紙幣の挿入を受け付け時にプリペイド価値がない場合（ステップＳ１０２；Ｎｏ）には、ステップＳ１０９に移行する。また、紙幣挿入口１２ａへの紙幣の挿入を受け付けていない場合（ステップＳ１０１；Ｎｏ）には、処理を終了する。
【０１３３】
なお、図１１に示した処理手順では、追加入金ができない場合には、紙幣挿入ができない理由を表示操作部１３に表示したうえで、挿入された紙幣を紙幣挿入口１２ａに返却するものとしたが、本発明はこれに限定されるものではない。例えば、追加入金を制限する状態になったならば表示操作部１３に紙幣挿入不可の旨の表示を行って、紙幣挿入口１２ａに紙幣をセットされても取り込まないように紙幣挿入口１２ａを制御するようにしてもよい。
【０１３４】
次に、図２に示した台間カード処理機１０における玉貸処理の処理手順を説明する。図１２は、台間カード処理機１０における玉貸処理の処理手順を示すフローチャートである。
【０１３５】
表示操作部１３による玉貸操作を受け付けて（ステップＳ２０１；Ｙｅｓ）、その時点で有価価値データ１６ｂのプリペイド価値の残高が遊技設定データ１６ｄの遊技媒体貸出単位の税込価格と、貸遊技媒体パラメータ１６ｅのデポジット金額との合計値以上である場合（ステップＳ２０２；Ｎｏ）には、玉貸処理部１７ｄは、遊技媒体の貸出玉数を遊技設定データ１６ｄの遊技媒体貸出単位の遊技媒体数と決定して（ステップＳ２０３）、貸出金額を遊技設定データ１６ｄの遊技媒体貸出単位の税込価格と決定して（ステップＳ２０４）、ステップＳ２１０に移行する。玉貸操作を受け付けなかった場合（ステップＳ２０１；Ｎｏ）には、処理を終了する。
【０１３６】
玉貸操作を受け付けた時点でプリペイド価値の残高が遊技媒体貸出単位の税込価格と、のデポジット金額との合計値未満である場合（ステップＳ２０２；Ｙｅｓ）には、玉貸処理部１７ｄは、その時点のプリペイド価値の範囲で貸出可能な遊技玉数を算出する（ステップＳ２０５）。ステップＳ２０５で算出した貸出玉数の価値がプリペイド価値と一致して端数となる金額がない場合（ステップＳ２０６；Ｎｏ）には、ステップＳ２０９に移行する。ステップＳ２０５で算出した貸出玉数の価値がプリペイド価値と一致させることができずに端数となる金額がある場合（ステップＳ２０６；Ｙｅｓ）には、玉貸処理部１７ｄは、図１０（ｅ）に示したような端数金額を取り込むことの確認画面の表示を行う（ステップＳ２０７）。ステップＳ２０７で表示した端数金額を取り込むことの確認画面において、「キャンセル」ボタンが押下された場合（ステップＳ２０８；Ｎｏ）には、処理を終了する。
【０１３７】
ステップＳ２０７で表示した端数金額を取り込むことの確認画面において、「実行」ボタンが押下された場合（ステップＳ２０８；Ｙｅｓ）には、玉貸処理部１７ｄは、遊技媒体の貸出金額をその時点のデポジットも含めたプリペイド価値とする（ステップＳ２０９）。
【０１３８】
玉貸処理部１７ｄは、カードＩＤとステップＳ２０４若しくはステップ２０９で算出した貸出金額であるプリペイド価値から減算すべき金額とを含む玉貸要求をカード管理装置４０に送信する（ステップＳ２１０）。カード管理装置４０から玉貸許可の応答を受け付けたならば（ステップＳ２１１；Ｙｅｓ）、玉貸処理部１７ｄは、ステップＳ２０３若しくはステップＳ２０５で決定した貸出玉数の遊技玉の払出を行って（ステップＳ２１２）、処理を終了する。また、カード管理装置４０から玉貸不許可の応答を受け付けたならば（ステップＳ２１１；Ｎｏ）、玉貸処理部１７ｄは、カード管理装置４０から受け付けた玉貸不許可の応答内容に応じて玉貸をすることができない旨のメッセージ表示を行って（ステップＳ２１３）、処理を終了する。
【０１３９】
上述してきたように、実施例１では、遊技客から受け付けたプリペイド価値から所定価値をデポジットとして扱い、プリペイド価値からデポジット分を差し引いた価値である預入金を減算することによって遊技媒体の貸出を行い、預入金が遊技媒体の貸出単位に対応する価値未満の場合にはプリペイド価値の追加、若しくはデポジットを含むプリペイド価値をゼロにしてデポジットを含むプリペイド価値に応じた数の遊技媒体の貸出を可能とするよう構成したので、遊技媒体の貸出レート及び貸出単位数にどんな値を設定されたとしても遊技店の損害を回避するとともに遊技客の利便性を確保することができる。
【０１４０】
なお、上述の実施例１では、デポジットを除いたプリペイド価値が遊技媒体の貸出単位に応じた価値未満の場合にはデポジットを含むプリペイド価値を１遊技媒体の貸出レートで除算して得られた値の小数点以下を切り捨てた値を貸出遊技媒体数として、使い切れなかった端数のプリペイド価値は取り込むことによってプリペイド価値全額使い切りの遊技媒体貸出を可能としたが、本発明はこれに限定されるものではない。例えば、貸出遊技媒体数の算出においてデポジットを含むプリペイド価値を１遊技媒体の貸出レートで除算して得られた値の小数点以下を切り上げるものとしてもよい。また、例えば、端数の取り込みを行わない場合には、従業員の立会いのもとで端数の関連付けられたカードを返却できるようにしてもよい。具体的には、端数の関連付けられたカードを返却するにはリモコン端末などによる従業員の認証を行わなければならないように制御することによって実現することができる。
【０１４１】
また、上述の実施例１では、デポジットを除いたプリペイド価値が遊技媒体の貸出単位に応じた価値未満の場合にはデポジットを含むプリペイド価値を全額使用した玉貸を行えるものとしたが、本発明はこれに限定されない。例えば、デポジットを除いたプリペイド価値が遊技媒体の貸出単位に応じた価値未満の場合には、デポジットを除いたプリペイド価値の全額のみを使用して玉貸を行えるようにしてデポジットを残すようにしてもよい。また、例えばデポジットを除いたプリペイド価値が遊技媒体の貸出単位に応じた価値未満の場合に行う玉貸では、デポジットを含むプリペイド価値を全額使用するか、デポジットを除いたプリペイド価値を全額使用するかを指定できるようにしてもよい。また、デポジット額を残すようにする場合には、貸出可能な玉数の算出においてデポジットを除いたプリペイド価値に残った端数を必ずしも取り込まなくてもよい。また、デポジットの遊技媒体の貸出への利用は、端数がでない場合に限って利用することを可能としてもよい。
【０１４２】
また、上述の実施例１では、通常の１回の貸出操作によって貸し出す単位を貸出単位として紙幣の入金可否の判定、遊技媒体の貸出の可否の判定及び遊技媒体の貸出数の算出に使用してきたが、本発明は貸出単位に対応する遊技媒体数や貸出金額を限定するものではない。例えば、遊技媒体の最小の貸出単位である１度数分（２５玉１０８円）を貸出単位としてもよい。
【０１４３】
また、上述の実施例１では、デポジットを除いたプリペイド価値が通常の１回の貸出操作に対応する貸出単位の価格未満の金額である場合には、デポジットを含めたプリペイド価値全額を使用して遊技媒体の貸出を行うか、端数の取り込みの了解が得られない場合などには全く遊技媒体の貸出を行わないかのいずれかであったが、本発明はこれに限定されない。例えば、デポジットを除いたプリペイド価値が、通常の１回の貸出操作に対応する貸出単位の価格未満であっても、デポジットを除いたプリペイド価値を使用して遊技媒体の最小の貸出単位（例えば１度数＝１０８円）の整数倍の貸出を可能としてもよい。
【０１４４】
また、上述の実施例１では、遊技客の特性の如何に係わらずデポジットを取るものとしたが、本発明はこれに限定されるものではない。例えば、プリペイド価値を遊技客の所有する携帯電話の識別情報（ＩＤｍ）などに関連付けて管理する場合などは、そのような遊技客からはデポジットを取らないようにしてもよい。
【実施例２】
【０１４５】
上述の実施例１では、消費税率の変更などの要因で消費税込みの遊技媒体の貸出単価が変更になり、遊技媒体の貸出単位に対する貸出価格がきりのいい金額にならなかったとしても、デポジットの制度を設けてデポジット額未満の少額価値がカードに残らないようにしたので、返却したカードが安易に廃棄されることを防止することができるようになった。
【０１４６】
しかしながら、消費税率の変更などの要因で遊技媒体の貸出価格がきりのいい金額にならなかった場合には、残ったプリペイド価値の返金が１円硬貨などを含むものとなることが多く、小銭を嫌う遊技客などにとっては利便性の低下と評価されてしまう。そこで、実施例２では、再来店する意思のある遊技客であれば、プリペイド価値が残っていたとしても、該プリペイド価値を持ち越して利用できるようにすることによって、精算をしなければならないケースを減らすことのできる例を説明する。
【０１４７】
まず、カード管理装置１４０の実施例２に係る内部構成を説明する。図１３は、カード管理装置１４０の実施例２に係る内部構成を示すブロック図である。図１３に示すように、実施例１のカード管理装置４０と同じ構成要素については同じ符号を付与し、実施例１のカード管理装置４０と差異のある構成要素については新たな符号を付与した。実施例１のカード管理装置４０と同じ構成要素については説明を省略し、新たな符号を付与した実施例１と差異のある構成要素について主に説明する。
【０１４８】
記憶部４５には、持越プリペイド価値データ１４５ｂが追加となっている。持越プリペイド価値データ１４５ｂは、カードＩＤに関連付けられた繰り越されたプリペイド価値に関する情報である。通常のプリペイド価値は、カードＩＤに関連付けられてカード管理データ４５ａに管理される。持越プリペイド価値データ１４５ｂは、移行処理を行うことによって、カード管理データ４５ａに移行することによって、当日使用可能となる。
【０１４９】
制御部４６のカード管理部１４６ａは、実施例１のカード管理部４６ａと差異がある。また、実施例２では、制御部４６に持越プリペイド価値管理部１４６ｄが追加となっている。
【０１５０】
カード管理部４６ａは、台間カード処理機１１０からカードＩＤを含むカード挿入通知を受け付けると、持越プリペイド価値データ１４５ｂを参照して、カード挿入通知に含まれるカードＩＤに関連付けられた持越プリペイド価値がある場合には、当該持越プリペイド価値などの情報を台間カード処理機１１０に返信する。カード挿入通知に含まれるカードＩＤに関連付けられた持越プリペイド価値がない場合には、実施例１で説明したのと同じようにカード挿入通知に含まれるカードＩＤに関連付けられたプリペイド価値及び持玉の残高などの有価価値情報を返信する。
【０１５１】
持越プリペイド価値管理部１４６ｄは、台間カード処理機１１０からカードＩＤ及びパスワードを含むプリペイド価値持越要求を受け付けたならば、該カードＩＤに関連付けられたカード管理データ４５ａのプリペイド価値と、プリペイド価値持越要求に含まれるパスワードとを、該カードＩＤに関連付けて持越プリペイド価値データ１４５ｂに登録して、カード管理データ４５ａから該カードＩＤに関連付けられたデータを削除する。
【０１５２】
また、持越プリペイド価値管理部１４６ｄは、台間カード処理機１１０から、移行元の持越プリペイド価値データ１４５ｂのレコードを特定するカードＩＤと、移行先の会員カードのカードＩＤと、パスワードとを含む持越プリペイド価値移行要求を受け付けたならば、指定に従って持ち越すプリペイド価値を持越プリペイド価値データ１４５ｂからカード管理データ４５ａに移行する。具体的には、プリペイド価値移行要求に含まれるパスワードが、持越プリペイド価値データ１４５ｂの移行元のカードＩＤに関連付けて記憶されているレコードのパスワードと一致することを条件として、持越プリペイド価値データ１４５ｂの移行元のカードＩＤに関連付けて記憶されているレコードのプリペイド価値を、カード管理データ４５ａの移行先のカードＩＤに関連付けられているレコードのプリペイド価値に移行する。
【０１５３】
次に、カード管理装置１４０の実施例２に係るデータ構成について、図１４を用いて説明する。
【０１５４】
持越プリペイド価値データ１４５ｂは、カードＩＤに関連付けられたパスワード、持越プリペイド価値及び状態をレコードの保有項目とするデータである。状態は、持越プリペイド価値データ１４５ｂのレコードの状態を示す情報であって、持越プリペイド価値データ１４５ｂに登録されただけで、まだ当該プリペイド価値を利用可能とするための移行が行われていないことを示す「未移行」と、当該プリペイド価値を使用可能とするための移行が行われている「移行済」とがある。
【０１５５】
図１４に示す持越プリペイド価値データ１４５ｂの例は、カードＩＤ「０２０１０」に関連付けられた、パスワードが「１２３４５６」で、持越プリペイド価値が「６３０」円で、状態が「未移行」である、まだ当該プリペイド価値を利用可能とするための移行が行われていないレコードが含まれていることを示している。
【０１５６】
次に、台間カード処理機１１０の実施例２に係る内部構成を説明する。図１５は、台間カード処理機１１０の実施例２に係る内部構成を示すブロック図である。図１５に示すように、実施例１の台間カード処理機１０と同じ構成要素については同じ符号を付与し、実施例１の台間カード処理機１０と差異のある構成要素については新たな符号を付与した。実施例１の台間カード処理機１０と同じ構成要素については説明を省略し、新たな符号を付与した実施例１と差異のある構成要素について主に説明する。
【０１５７】
記憶部１６では、実施例１と比較すると、持越プリペイド価値１１６ｆが追加となっている。持越プリペイド価値１１６ｆは、前回来店時から持ち越したプリペイド価値である。持越プリペイド価値１１６ｆは、当日のプリペイド価値として利用できるようにするためには、当日のプリペイド価値への移行処理を行う必要がある。該当日のプリペイド価値への移行処理が行われると、持越プリペイド価値１１６ｆの内容はクリアされる。
【０１５８】
制御部１７は、実施例１と比較すると、データ管理部１１７ａの処理内容が、実施例１のデータ管理部１７ａの処理内容と変更となっている。また、実施例２では、制御部１７にプリペイド価値移行処理部１１７ｅが追加となっている。
【０１５９】
データ管理部１１７ａは、実施例１のデータ管理部１７ａと比較すると、カード返却時の処理及びカード挿入時の処理に差異がある。カード返却時には、挿入されているカードが一般カードで、持玉が無い状態で、プリペイド価値の残額が所定額以下である場合には、プリペイド価値の残額を次回来店時に持ち越すことができる。プリペイド価値の残額を次回来店時に持ち越す場合には、パスワードの入力を受け付けて、カード管理装置１４０にカードＩＤ及びパスワードを含むプリペイド価値持越要求を送信するとともに、持ち越すプリペイド価値が関連付けられたカードを返却する。
【０１６０】
持ち越したプリペイド価値が関連付けられたカードを挿入された場合に、カード管理装置１４０にカード挿入通知を送信すると、カード管理装置１４０からは挿入したカードに関連付けられている持ち越したプリペイド価値に係る情報が返信されてくる。データ管理部１１７ａは、持ち越したプリペイド価値に係る情報を受け付けたならば、受け付けた持ち越したプリペイド価値に係る情報を持越プリペイド価値１１６ｆに記憶して、受け付けた持ち越したプリペイド価値を使用可能とするためには会員カードを挿入する旨のメッセージの表示を行う。
【０１６１】
プリペイド価値移行処理部１１７ｅは、持越プリペイド価値１１６ｆに持ち越したプリペイド価値がある状態において、リーダライタ１４で会員カードのリードが行われたならば、パスワードの入力を受け付けて、移行元の持越プリペイド価値データ１４５ｂのレコードを特定するカードＩＤと、移行先の会員カードのカードＩＤと、受け付けたパスワードとを含む持越プリペイド価値移行要求をカード管理装置１４０に送信する。該持越プリペイド価値移行要求に含まれるパスワードが正しければ、カード管理装置１４０から、持越プリペイド価値が加算されたプリペイド価値を含む持越プリペイド価値移行通知が送信されてくる。プリペイド価値移行処理部１１７ｅは、該持越プリペイド価値移行通知を受け付けたならば、持越プリペイド価値移行通知に含まれる持越プリペイド価値が加算されたプリペイド価値を有価価値データ１６ｂに反映し、持越プリペイド価値１１６ｆをクリアする。
【０１６２】
次に、台間カード処理機１１０におけるカード返却処理に係る画面表示内容と操作内容を、図１６を用いて説明する。
【０１６３】
図１６（ａ）は、カード返却操作受付直前の表示操作部１３の画面表示時例である。図１６（ａ）の画面は、プリペイド価値の残高が「４６０円」で、内デポジットが「３００円」で、一般カードが挿入中であり、１２５玉を５４０円で貸玉を行っており、現状追加入金が可能な状態であることを示している。
【０１６４】
図１６（ａ）の画面に示す状態において、カード返却を指示する操作を受け付けた場合には、図１６（ｂ）に示す画面に遷移する。図１６（ｂ）の画面の最上部にはプリペイド価値の残高が「４６０円」である旨が表示される。また、図１６（ｂ）の画面中央には、「カードを返却します。このあと残額を精算しますか？」というメッセージが表示され、画面下部には、精算することの意思表示を行うための「精算」ボタンと、台移動をすることの意思表示を行うための「台移動」ボタンとが配置される。
【０１６５】
図１６（ｂ）の画面において、画面下部に配置される「精算」ボタンが押下された場合には、図１６（ｃ）の画面に遷移する。図１６（ｃ）の画面の最上部にはプリペイド価値の残高が「４６０円」である旨が表示される。また、図１６（ｃ）の画面中央には、プリペイド価値を次回来店時に持ち越すことが可能な旨のメッセージが表示され、画面下部には、プリペイド価値を持ち越すことの意思表示を行うための「持越」ボタンと、精算して返金することの意思表示を行うための「返金」ボタンとが配置される。
【０１６６】
図１６（ｃ）の画面において、画面下部に配置される「持越」ボタンが押下された場合には、図１６（ｄ）の画面に遷移する。図１６（ｄ）の最上部にはプリペイド価値の残高が「４６０円」である旨が表示され、画面中央にはパスワード入力を促すメッセージが表示され、画面下部にはパスワード入力用の画面に遷移させるための「次へ」ボタンが配置される。
【０１６７】
図１６（ｄ）の画面において、画面下部に配置される「次へ」ボタンが押下された場合には、図１６（ｅ）の画面に遷移する。図１６（ｅ）は、パスワードを入力するための画面で、０〜９のテンキーと、入力済の内容を消去するための「訂正」ボタンと、入力済みの内容で登録するための「登録」ボタンと、入力されたパスワードを「＊」などでシークレット表示する入力内容表示領域が配置される。
【０１６８】
次に、台間カード処理機１１０におけるカード返却処理の処理手順を説明する。図１７は、台間カード処理機１１０におけるカード返却処理の処理手順を示すフローチャートである。
【０１６９】
一般カードが挿入されている状態においてカードの返却操作が行われて（ステップＳ３０１；Ｙｅｓ）、そのタイミングで持玉がなくて（ステップＳ３０２；Ｎｏ）、プリペイド価値の残高が所定額以下であった場合（ステップＳ３０３；Ｙｅｓ）、データ管理部１１７ａは、図１６（ｂ）に示したような、プリペイド価値の残額の精算の意思を確認するための画面を表示する（ステップＳ３０４）。カードの返却操作を受け付けていない場合（ステップＳ３０１；Ｎｏ）には、処理を終了する。
【０１７０】
ステップＳ３０４で表示した画面において、プリペイド価値の残額の精算を行う旨の意思表示である「精算」ボタンが押下された場合（ステップＳ３０５；Ｙｅｓ）には、データ管理部１１７ａは、図１６（ｃ）に示したような、プリペイド価値の残額を持ち越す意思を確認するための画面の表示を行う（ステップＳ３０６）。
【０１７１】
ステップＳ３０６で表示した画面において、プリペイド価値の残額の持越を行う旨の意思表示である「持越」ボタンが押下された場合（ステップＳ３０７；Ｙｅｓ）には、データ管理部１１７ａは、図１６（ｄ）に示したような、パスワード入力を促すメッセージの表示を行うとともに、画面下部に配置された「次へ」ボタンの入力を待ち合わせる（ステップＳ３０８）。
【０１７２】
「次へ」ボタンの押下により、データ管理部１１７ａは、図１６（ｅ）に示したようなパスワード入力画面の表示を行い、パスワードの入力を受け付ける（ステップＳ３０９）。ステップＳ３０９で表示したパスワード入力画面で、パスワードの入力を受け付けたならば、データ管理部１１７ａは、挿入されている一般カードのカードＩＤ及び受け付けたパスワードを含むプリペイド価値持越要求をカード管理装置１４０に送信する（ステップＳ３１０）。データ管理部１１７ａは、挿入済の一般カードをカード挿入口１４ａに排出して（ステップＳ３１１）、処理を終了する。
【０１７３】
また、一般カードが挿入されている状態においてカードの返却操作が行われたが（ステップＳ３０１；Ｙｅｓ）、そのタイミングで持玉がある場合（ステップＳ３０２；Ｙｅｓ）、若しくは持玉はないが（ステップＳ３０２；Ｎｏ）、プリペイド価値の残高が所定額を超えていた場合（ステップＳ３０３；Ｎｏ）には、データ管理部１１７ａは、通常のカードの返却処理を行って（ステップＳ３１２）、処理を終了する。また、ステップＳ３０４で表示された画面において、台移動を行う旨の意思表示である「台移動」ボタンが押下された場合（ステップＳ３０５；Ｎｏ）、若しくはステップＳ３０６で表示された画面において、プリペイド価値の残額の返金を行う旨の意思表示である「返金」ボタンが押下された場合（ステップＳ３０７；Ｎｏ）にも、通常のカードの返却処理を行って（ステップＳ３１２）、処理を終了する。
【０１７４】
ステップＳ３０３で説明した通り、プリペイド価値の持ち越しの指示が可能なのは、プリペイド価値の残高が所定額以下であるか否かで判定したが、所定額未満であるか否かで判定してもよい。また、プリペイド価値の持ち越しの指示を行うことのできるプリペイド価値の残高についての条件を設けなくてもよい。
【０１７５】
次に、台間カード処理機１１０における繰り越したプリペイド価値を会員カードに移行する処理の処理手順を説明する。図１８は、台間カード処理機１１０における繰り越したプリペイド価値を会員カードに移行する処理の処理手順を示すフローチャートである。
【０１７６】
カード挿入口１４ａに挿入されて読み込まれたカードが会員カードであった場合（ステップＳ４０１；Ｎｏ）は、データ管理部１１７ａは、通常の会員カードが挿入された場合の処理を行って（ステップＳ４０２）、処理を終了する。
【０１７７】
カード挿入口１４ａに挿入されて読み込まれたカードが一般カードであった場合（ステップＳ４０１；Ｙｅｓ）は、データ管理部１１７ａは、一般カードから読み取ったカードＩＤを含むカード挿入通知をカード管理装置１４０に送信する（ステップＳ４０３）。カード管理装置１４０に送信した一般カードのカードＩＤを含むカード挿入通知の応答として、一般カードに関連付けられるプリペイド価値及び持玉の残高などを受け付けた場合（ステップＳ４０４；Ｎｏ）には、データ管理部１１７ａは、通常の一般カードが挿入された場合の処理を行って（ステップＳ４０５）、処理を終了する。
【０１７８】
カード管理装置１４０に送信した一般カードのカードＩＤを含むカード挿入通知の応答として、持越プリペイド価値の情報を受け付けた場合（ステップＳ４０４；Ｙｅｓ）には、データ管理部１１７ａは、受け付けた持越プリペイド価値の情報を持越プリペイド価値１１６ｆに記憶するとともに、持ち越したプリペイド価値の表示及び持ち越したプリペイド価値を移行する会員カードの挿入を促すメッセージを表示する（ステップＳ４０６）。
【０１７９】
ステップＳ４０６で表示したメッセージに従って会員カードの挿入を受け付けた場合（ステップＳ４０７；Ｙｅｓ）には、データ管理部１１７ａは、会員カードから読み取ったカードＩＤを含むカード挿入通知をカード管理装置１４０に送信する（ステップＳ４０８）。また、カード管理装置１４０に送信した会員カードのカードＩＤを含むカード挿入通知の応答として、会員カードに関連付けられるプリペイド価値、持玉及び貯玉の残高などを受け付けて有価価値データ１６ｂに記憶する（ステップＳ４０９）。
【０１８０】
プリペイド価値移行処理部１１７ｅは、プリペイド価値の持ち越し操作時に入力したパスワードを入力するための画面の表示を行って、パスワードの入力を受け付ける（ステップＳ４１０）。また、プリペイド価値移行処理部１１７ｅは、移行元の持越プリペイド価値データ１４５ｂのレコードを特定するステップＳ４０１で読み取ったカードＩＤと、移行先のステップＳ４０７で読み取った会員カードのカードＩＤと、ステップＳ４１０で受け付けたパスワードとを含む持越プリペイド価値移行要求を、カード管理装置１４０に送信する（ステップＳ４１１）。また、プリペイド価値移行処理部１１７ｅは、カード管理装置１４０に送信した持越プリペイド価値移行要求の応答として、持越プリペイド価値が移行されたプリペイド価値を含む持越プリペイド価値移行通知を受け付けたならば、受け付けたプリペイド価値を有価価値データ１６ｂのプリペイド価値に記憶するとともに、持越プリペイド価値１１６ｆをクリアして（ステップＳ４１２）、処理を終了する。
【０１８１】
ステップＳ４０６で表示したメッセージに対して、受け付けたカードが会員カードではなく（ステップＳ４０７；Ｎｏ）、一般カードであった場合（ステップＳ４１３；Ｙｅｓ）には、プリペイド価値移行処理部１１７ｅは、表示操作部１３に一般カードは受付不可の旨のメッセージの表示を行い（ステップＳ４１４）、挿入された一般カードを排出して（ステップＳ４１５）、ステップＳ４０７に戻る。
【０１８２】
また、ステップＳ４０６で表示したメッセージに対して、カードの挿入を受け付けず（ステップＳ４１３；Ｎｏ）、持ち越したプリペイド価値の移行をキャンセルする旨の操作を受け付けた場合（ステップＳ４１６；Ｙｅｓ）には、プリペイド価値移行処理部１１７ｅは、ステップＳ４０１で挿入されたカードを排出して（ステップＳ４１７）、処理を終了する。また、ステップＳ４０６で表示したメッセージに対して、持ち越したプリペイド価値の移行をキャンセルする旨の操作も受け付けなかった場合（ステップＳ４１６；Ｎｏ）には、ステップＳ４０７に戻る。
【０１８３】
上述してきたように、実施例２では、実施例１の構成に加えて、一般カードに関連付けられたプリペイド価値を持越プリペイド価値として記憶し、該持越プリペイド価値が関連付けられたカードを返却し、該カードを用いることによって持越プリペイド価値を再利用できるよう構成したので、遊技媒体の貸出レート及び貸出単位数にどんな値を設定されたとしても遊技店の損害を回避するとともに遊技客の利便性を確保することができるだけではなく、遊技客の多様なニーズに対応し遊技客の利便性の向上を図ることができる。
【０１８４】
なお、上述の実施例２では、持ち越したプリペイド価値を会員カードに関連付けることによって遊技媒体の貸出に使用可能としたが、本発明はこれに限定されない。例えば、持ち越したプリペイド価値の関連付けられたカードの挿入を受け付けて、パスワードによる認証が行われたならば、受け付けたカードに関連付けたプリペイド価値として遊技媒体の貸出に使用可能としてもよい。
【０１８５】
また、上述の実施例２では、遊技客の特性の如何に係わらずデポジットを取るものとしたが、本発明はこれに限定されるものではない。例えば、会員の場合にはデポジット運用を適用しなくてもよく、その場合にプリペイド価値の持ち越しの指示を操作時には、プリペイド価値の一部がデポジットとして扱われていたとしても、会員に移行されたプリペイド価値は全額遊技媒体の貸出に可能な価値として扱われることとなる。
【０１８６】
また、上述の実施例２では、デポジットの運用が行われている場合の実施例であったが、本発明はこれに限定されるものではない。デポジットの運用が行われていない場合には、プリペイド価値が所定の金額未満の場合には、カードの排出は行わず表示操作部１３などに、カードの排出の代替として持ち越すプリペイド価値の関連付けられる識別情報を表示して、該識別情報に関連付けて持ち越すプリペイド価値を記憶し、該識別情報の入力を受け付けて持ち越したプリペイド価値を使用可能としてもよい。
【０１８７】
また、上述の実施例１及び実施例２では、遊技媒体を遊技機２０もしくは台間カード処理機１０、１１０のノズルユニット１８ａから払い出しを行う開放式の遊技機２０を対象に説明を行ってきたが、本発明はこれに限定されるものではなく、遊技媒体の実物の払い出しを行わずに遊技に使用可能な遊技媒体の数をデータとして管理する封入式の遊技機であってもよい。
【０１８８】
また、上述の実施例１及び実施例２では、遊技玉を遊技媒体とする遊技機２０及び該遊技機２０に対応する台間装置に関する実施例を説明したが、本発明はこれに限定されるものではなく、遊技玉以外の任意の遊技媒体を使用する遊技機に対応する台間装置における遊技媒体の貸出処理や遊技媒体の貸出に係る入金処理についても適用可能である。
【０１８９】
また、上述の実施例１及び実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１９０】
以上のように、本発明に係る遊技システム及び遊技媒体貸出方法は、遊技媒体の貸出レート及び貸出単位数にどんな値を設定されたとしても遊技店の損害を回避し、遊技客の利便性を確保することに適している。
【符号の説明】
【０１９１】
１０、１１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、４５、５５  記憶部
１６ａ  カードＩＤ
１６ｂ  有価価値データ
１６ｃ  装置ＩＤ
１６ｄ  遊技設定データ
１６ｅ  貸遊技媒体パラメータ
１７、４６、５６  制御部
１７ａ、１１７ａ  データ管理部
１７ｂ  計数処理部
１７ｃ、４６ｂ  入金処理部
１７ｄ、４６ｃ  玉貸処理部
１８ａ  ノズルユニット
１８ｂ  計数ユニット
２０  遊技機
３０  島コントローラ
４０、１４０  カード管理装置
４１、５１  表示部
４２、５２  入力部
４４、５４  店舗ネットワーク通信部
４５ａ  カード管理データ
４６ａ、１４６ａ  カード管理部
５０  会員管理装置
５３  外部ネットワーク通信部
５５ａ  会員管理データ
５５ｂ  遊技種設定データ
５５ｃ  景品マスタ
５６ａ  会員管理部
５６ｂ  景品マスタ管理部
６０  景品管理装置
８０  精算機
１１６ｆ  持越プリペイド価値
１１７ｅ  プリペイド価値移行処理部
１４５ｂ  持越プリペイド価値データ
１４６ｄ  持越プリペイド価値管理部
【図１】
2015186561.tif 000003
【図２】
2015186561.tif 000004
【図３】
2015186561.tif 000005
【図４】
2015186561.tif 000006
【図５】
2015186561.tif 000007
【図６】
2015186561.tif 000008
【図７】
2015186561.tif 000009
【図８】
2015186561.tif 000010
【図９】
2015186561.tif 000011
【図１０】
2015186561.tif 000012
【図１１】
2015186561.tif 000013
【図１２】
2015186561.tif 000014
【図１３】
2015186561.tif 000015
【図１４】
2015186561.tif 000016
【図１５】
2015186561.tif 000017
【図１６】
2015186561.tif 000018
【図１７】
2015186561.tif 000019
【図１８】
2015186561.tif 000020